(57)【特許請求の範囲】
【請求項１】
互いに回動して開閉可能とされる第１及び第２の本体と、
両端部が前記第１及び第２の本体のヒンジ部にそれぞれ軸支されたヒンジ接続部を有し、該ヒンジ接続部に第１及び第２の付勢ユニットが設けられて、前記第１の本体を前記第２の本体に対しスライドさせる外力が加えられると、前記第１及び第２の付勢ユニットの付勢により、当該第１及び第２の本体を通話用の開状態に回動させる開閉装置と、
前記ヒンジ接続部に設置され、前記第１の本体と前記第２の本体との回動角度を前記通話用の回動角度及び該回動角度よりも大きい回動角度の複数段階でストップさせるストッパと、
を含んで構成されることを特徴とする移動通信端末機。
【請求項２】
前記開閉装置の第１の付勢ユニットは、前記第１の本体を前記第２の本体に対しスライドさせる外力が加えられたときに、該第１の本体を開方向へ回動させるように付勢し、
前記開閉装置の第２の付勢ユニットは、前記第１の本体を前記第２の本体に対しスライドさせる外力が除かれたときに、前記ヒンジ接続部を初期位置へ復帰させるように付勢する、
ことを特徴とする請求項１に記載の移動通信端末機。
【請求項３】
前記ヒンジ接続部は、前記第１及び第２の本体が閉状態に折り畳まれているときに、前記第１の本体のヒンジ部が前記第２の本体のヒンジ部よりも上側に位置するように傾斜することを特徴とする請求項１に記載の移動通信端末機。
【請求項４】
前記第１の付勢ユニットは、
前記第１又は第２の本体又は前記ヒンジ接続部のいずれか一方に固定されて内部に収容空間を有するハウジングと、
前記第１又は第２の本体又は前記ヒンジ接続部のいずれか他方に固定されたカムフォロワと、
前記ハウジングの収容空間内に往復運動可能に設置され、前記第１の本体が前記第２の本体に対しスライドさせられると該第１の本体を開方向へ回動させる軌跡のカムプロファイルをもつカムと、
前記カムを前記カムフォロワへ向けて付勢するスプリングと、
を含むことを特徴とする請求項２に記載の移動通信端末機。
【請求項５】
前記カムのカムプロファイルは、前記第１の本体が前記第２の本体に対しスライドさせられている間に前記カムと前記カムフォロワとを互いに遠ざけ且つ頂点を過ぎると互いに近づける軌跡であることを特徴とする請求項４に記載の移動通信端末機。
【請求項６】
前記カムのカムプロファイルは、カム軸を中心に異なる半径で二つ形成され、
前記カムフォロワは、前記二つのカムプロファイルに従動する従節が前記カム軸を挟んで正対する位置に形成されていることを特徴とする請求項４又は請求項５に記載の移動通信端末機。
【請求項７】
前記第２の付勢ユニットは、
前記第１又は第２の本体又はヒンジ接続部のいずれか一方に固定されて内部に収容空間を有するハウジングと、
前記第１又は第２の本体又はヒンジ接続部のいずれか他方に固定されたカムフォロワと、
前記ハウジングの収容空間内に往復運動可能に設置され、前記第１の本体が前記第２の本体に対しスライドさせられた後に該スライドさせている外力が除かれると前記ヒンジ接続部を初期位置へ復帰させる軌跡のカムプロファイルをもつカムと、
前記カムを前記カムフォロワへ向けて付勢するスプリングと、
を含むことを特徴とする請求項２に記載の移動通信端末機。
【請求項８】
前記カムのプロファイルは、前記第１の本体が前記第２の本体に対しスライドさせられている間に前記カムと前記カムフォロワとを互いに遠ざけ、前記第１の本体を前記第２の本体に対しスライドさせている外力が除かれたときに前記カムと前記カムフォロワとを互いに近づける軌跡であることを特徴とする請求項７に記載の移動通信端末機。
【請求項９】
前記カムのカムプロファイルは、カム軸を中心に異なる半径で二つ形成され、
前記カムフォロワは、前記二つのカムプロファイルに従動する従節が前記カム軸を挟んで正対する位置に形成されていることを特徴とする請求項７又は請求項８に記載の移動通信端末機。
【請求項１０】
前記ストッパは、前記第１の本体を前記第２の本体に対し１５０°及び１８０°でストップさせることを特徴とする請求項１に記載の移動通信端末機。
【請求項１１】
前記ストッパは、
前記第１又は第２の本体のヒンジ部に固定された回転子と、
前記ヒンジ接続部内に往復運動可能に設置され、前記回転子との接触により当該回転子の回転を停止させる停止ロッドと、
該停止ロッドを前記回転子へ向け付勢するスプリングと、
を含むことを特徴とする請求項１に記載の移動通信端末機。
【請求項１２】
前記回転子の外周に、前記停止ロッドと当接する少なくとも１つの突起が形成されていることを特徴とする請求項１１に記載の移動通信端末機。
【請求項１３】
前記停止ロッドをガイドするガイド部材が前記ヒンジ接続部に形成されていることを特徴とする請求項１１又は請求項１２に記載の移動通信端末機。
【請求項１４】
前記回転子が前記停止ロッドを超えて回転したときに当該回転子の回転を規制する規制凸部が前記ヒンジ接続部に形成されていることを特徴とする請求項１１〜１３のいずれか１項に記載の移動通信端末機。
【請求項１５】
前記回転子が前記規制凸部により回転を規制された状態で、前記第１の本体が前記第２の本体に対し３６０°回転した状態にあることを特徴とする請求項１４に記載の移動通信端末機。
【請求項１６】
前記開閉装置は、前記第１の本体を前記第２の本体に対しスライドダウンさせる外力が加えられると、該第１の本体を前記第２の本体に対し回動させることを特徴とする請求項１に記載の移動通信端末機。
【請求項１７】
前記開閉装置は、前記第１の本体を前記第２の本体に対しスライドアップさせる外力が加えられると、該第１の本体を前記第２の本体に対し回動させることを特徴とする請求項１に記載の移動通信端末機。
【請求項１８】
前記第１の本体がディスプレイ等を備えた表示側本体であり、前記第２の本体がキーパッド等を備えた操作側本体であることを特徴とする請求項１〜１７のいずれか１項に記載の移動通信端末機。
【発明の詳細な説明】
【技術分野】
【０００１】
本発明は移動通信（移動体通信）端末機に関し、特に、折り畳み式端末機の開閉装置に関する。
【背景技術】
【０００２】
携帯電話機やＰＤＡなどを含む移動通信端末機は、ユーザが移動中にこれを利用して、無線送受信や情報の閲覧、処理を行うことができるようにする携帯用電子機器の１つである。情報通信技術やメモリ技術の発展により、移動通信端末機は単純な電話機という概念を超え、写真や動画像を撮影したり、各種マルチメディアファイルを再生、編集したり、あるいは、テレビ放送を視聴できる機能まで備えるようになってきている。
【０００３】
このような移動通信端末機は一方で、ユーザが簡便に携帯できるように軽量・スリム化しており、その小さく限られた装置内で上記のような多様な機能を利便性良く実現できるように、充分な機構的基盤が必要とされる。
【０００４】
図１５及び図１６は、このような従来の移動通信端末機の一例を示す図である。
【０００５】
図１５に示すように、折り畳み式の移動通信端末機１０は、キーパッド等を備えた第１本体（操作側本体）２０と、ディスプレイ等を備え、第１本体２０に軸支されて回動開閉する第２本体（表示側本体）３０と、を有している。第１本体２０には、折り畳んだ際に隠れる内側面に、情報の入力や制御命令の操作を行うためのキーパッド２１と、集音用のマイク（送話部）２２と、が設置されている。第２本体３０には、折り畳んだ際に隠れる内側面に、大型画面の第１ディスプレイ３１と、発音用のスピーカ（受話部）３４と、が設置されている。さらに、第２本体３０において折り畳んだ際に表に出る外側面には、第２本体３０を開かなくてもある程度の情報を見ることができるように、小型画面の第２ディスプレイ３２が設置されている。
【０００６】
第１本体２０と第２本体３０との間は、互いに回動できるように、ヒンジ部４０によってヒンジ接続されている。このヒンジ部４０は、第１本体２０の端部両側に形成される第１ヒンジ部４１と、第２本体３０の端部から突設され、第１ヒンジ部４１の間に挟まれて軸支される第２ヒンジ部４２と、を有して構成されている。第１ヒンジ部４１又は第２ヒンジ部４２の内部には、第２本体３０を開くときに、該第２本体３０を開方向へ付勢する付勢装置（図示せず）が内蔵されている。
【０００７】
このヒンジ構造によれば、ユーザが第２本体３０を開方向へ少しだけ持ち上げると（回動させると）、その後は付勢装置が作用して第２本体３０が自動的に回動を続けて第１本体２０から開いていく。そして、第２本体３０が回動してその回転角度が第１本体２０に対し約１５０°になるまで開くと（通話時に送受信性能が良好となるように顔の丸い輪郭が考慮された角度）、ストッパ（図示せず）によって回動が止まり、姿勢が維持される。
【発明の開示】
【発明が解決しようとする課題】
【０００８】
以上のような移動通信端末機の開閉装置によれば、第２本体が付勢装置によって自動的に回動し始める初動角度までに、ユーザによる開動作を必要とする。しかし、移動通信端末機を片手で扱ってこのような若干の開動作を行うのは、慣れない動作であり、難儀でやり難い。
【０００９】
また、上記従来の開閉装置の場合、第１本体と第２本体とは、上記１５０°などの所定の角度に開くようにしか設計されていない。したがって、カメラ・ビデオ撮影のとき、あるいはマルチメディアやテレビを視聴するときに、第２本体の内側にある大型のディスプレイを横長画面として使用したいと思っても、開いた状態の移動通信端末機を横長に持たなければならず、使い勝手が非常に悪い。
【００１０】
このような背景に鑑みて本発明は、第１本体と第２本体とを、各種の使用目的に適した多様な角度の開状態に維持することができるような、移動通信端末機の開閉装置を提案する。
【課題を解決するための手段】
【００１１】
本発明による移動通信端末機は、互いに回動して開閉可能とされる二つの本体と、該二つの本体間を回動可能に接続し、前記本体の一方を他方に対しスライドさせる外力が加えられると、前記本体を互いに回動させて開状態にする開閉装置と、を含んで構成されることを特徴とする。
【００１２】
その開閉装置は、両端部が前記本体のヒンジ部にそれぞれ軸支されたヒンジ接続部と、該ヒンジ接続部に設けられ、前記本体の一方を他方に対しスライドさせる外力が加えられたときに、該本体の一方を開方向へ回動させるように付勢する付勢ユニットと、を含むことを特徴とする。前記ヒンジ接続部は、前記本体が閉状態に折り畳まれているときに、前記本体の一方のヒンジ部が他方のヒンジ部よりも上側に位置するように傾斜するようにすることができる。前記付勢ユニットは、前記ヒンジ接続部に固定されて内部に収容空間を有するハウジングと、前記本体のいずれかのヒンジ部に固定されるカムフォロワと、前記ハウジングの収容空間内に往復運動可能に設置され、前記本体の一方が他方に対しスライドさせられると該本体の一方を開方向へ回動させる軌跡のカムプロファイルをもつカムと、前記カムを前記カムフォロワに向けて付勢するスプリングと、を含む構成とすることができる。前記カムのカムプロファイルは、前記本体の一方が他方に対しスライドさせられている間に前記カムと前記カムフォロワとを互いに遠ざけ且つ頂点を過ぎると互いに近づける軌跡が可能である。また、前記カムのカムプロファイルは、カム軸を中心に異なる半径で二つ形成され、前記カムフォロワは、前記二つのカムプロファイルに従動する従節が前記カム軸を挟んで正対する位置に形成されているようにすることができる。
【００１３】
また、前記開閉装置は、両端部が前記本体のヒンジ部にそれぞれ軸支されたヒンジ接続部と、該ヒンジ接続部に設けられ、前記本体の一方を他方に対しスライドさせる外力が加えられたときに、該本体の一方を開方向へ回動させるように付勢する第１の付勢ユニットと、前記ヒンジ接続部に設けられ、前記本体の一方を他方に対しスライドさせる外力が除かれたときに、前記ヒンジ接続部を初期位置へ復帰させるように付勢する第２の付勢ユニットと、を含むことを特徴とする。前記ヒンジ接続部は、前記本体が閉状態に折り畳まれているときに、前記本体の一方のヒンジ部が他方のヒンジ部よりも上側に位置するように傾斜するようにすることができる。
【００１４】
前記第１の付勢ユニットは、前記本体又は前記ヒンジ接続部のいずれか一方に固定されて内部に収容空間を有するハウジングと、前記本体又は前記ヒンジ接続部のいずれか他方に固定されたカムフォロワと、前記ハウジングの収容空間内に往復運動可能に設置され、前記本体の一方が他方に対しスライドさせられると該本体の一方を開方向へ回動させる軌跡のカムプロファイルをもつカムと、前記カムを前記カムフォロワへ向けて付勢するスプリングと、を含む構成とすることができる。前記カムのカムプロファイルは、前記本体の一方が他方に対しスライドさせられている間に前記カムと前記カムフォロワとを互いに遠ざけ且つ頂点を過ぎると互いに近づける軌跡が可能である。前記カムのカムプロファイルは、カム軸を中心に異なる半径で二つ形成され、前記カムフォロワは、前記二つのカムプロファイルに従動する従節が前記カム軸を挟んで正対する位置に形成されているようにすることができる。
【００１５】
前記第２の付勢ユニットは、前記本体又は前記ヒンジ接続部のいずれか一方に固定されて内部に収容空間を有するハウジングと、前記本体又は前記ヒンジ接続部のいずれか他方に固定されたカムフォロワと、前記ハウジングの収容空間内に往復運動可能に設置され、前記本体の一方が他方に対しスライドさせられた後に該スライドさせている外力が除かれると前記ヒンジ接続部を初期位置へ復帰させる軌跡のカムプロファイルをもつカムと、前記カムを前記カムフォロワへ向けて付勢するスプリングと、を含む構成とすることができる。前記カムのカムプロファイルは、前記本体の一方が他方に対しスライドさせられている間に前記カムと前記カムフォロワとを互いに遠ざけ、当該本体の一方を他方に対しスライドさせている外力が除かれたときに前記カムと前記カムフォロワとを互いに近づける軌跡が可能である。前記カムのカムプロファイルは、カム軸を中心に異なる半径で二つ形成され、前記カムフォロワは、前記二つのカムプロファイルに従動する従節が前記カム軸を挟んで正対する位置に形成されているようにすることができる。
【００１６】
前記開閉装置は、前記本体の一方を他方に対しスライドダウンさせる外力が加えられると、該本体の一方を前記本体の他方に対し回動させる、あるいは、前記本体の一方を他方に対しスライドアップさせる外力が加えられると、該本体の一方を前記本体の他方に対し回動させるものとすることができる。
【００１７】
前記本体の一方はディスプレイ等を備えた表示側本体、前記本体の他方はキーパッド等を備えた操作側本体とすることができる。
【００１８】
また、本発明による移動通信端末機は、互いに回動して開閉可能とされる第１及び第２の本体と、両端部が前記第１及び第２の本体のヒンジ部にそれぞれ軸支されたヒンジ接続部を有し、該ヒンジ接続部に第１及び第２の付勢ユニットが設けられて、前記第１の本体を前記第２の本体に対しスライドさせる外力が加えられると、前記第１及び第２の付勢ユニットの付勢により、当該第１及び第２の本体を通話用の開状態に回動させる開閉装置と、前記ヒンジ接続部に設置され、前記第１の本体と前記第２の本体との回動角度を前記通話用の回動角度及び該回動角度よりも大きい回動角度の複数段階でストップさせるストッパと、を含んで構成されることを特徴とする。
【００１９】
その開閉装置の第１の付勢ユニットは、前記第１の本体を前記第２の本体に対しスライドさせる外力が加えられたときに、該第１の本体を開方向へ回動させるように付勢し、前記開閉装置の第２の付勢ユニットは、前記第１の本体を前記第２の本体に対しスライドさせる外力が除かれたときに、前記ヒンジ接続部を初期位置へ復帰させるように付勢する構成とすることができる。前記ヒンジ接続部は、前記第１及び第２の本体が閉状態に折り畳まれているときに、前記第１の本体のヒンジ部が前記第２の本体のヒンジ部よりも上側に位置するように傾斜するようにすることができる。
【００２０】
前記第１の付勢ユニットは、前記第１又は第２の本体又は前記ヒンジ接続部のいずれか一方に固定されて内部に収容空間を有するハウジングと、前記第１又は第２の本体又は前記ヒンジ接続部のいずれか他方に固定されたカムフォロワと、前記ハウジングの収容空間内に往復運動可能に設置され、前記第１の本体が前記第２の本体に対しスライドさせられると該第１の本体を開方向へ回動させる軌跡のカムプロファイルをもつカムと、前記カムを前記カムフォロワへ向けて付勢するスプリングと、を含む構成とすることができる。前記カムのカムプロファイルは、前記第１の本体が前記第２の本体に対しスライドさせられている間に前記カムと前記カムフォロワとを互いに遠ざけ且つ頂点を過ぎると互いに近づける軌跡が可能である。前記カムのカムプロファイルは、カム軸を中心に異なる半径で二つ形成され、前記カムフォロワは、前記二つのカムプロファイルに従動する従節が前記カム軸を挟んで正対する位置に形成されているようにすることができる。
【００２１】
前記第２の付勢ユニットは、前記第１又は第２の本体又はヒンジ接続部のいずれか一方に固定されて内部に収容空間を有するハウジングと、前記第１又は第２の本体又はヒンジ接続部のいずれか他方に固定されたカムフォロワと、前記ハウジングの収容空間内に往復運動可能に設置され、前記第１の本体が前記第２の本体に対しスライドさせられた後に該スライドさせている外力が除かれると前記ヒンジ接続部を初期位置へ復帰させる軌跡のカムプロファイルをもつカムと、前記カムを前記カムフォロワへ向けて付勢するスプリングと、を含む構成とすることができる。前記カムのプロファイルは、前記第１の本体が前記第２の本体に対しスライドさせられている間に前記カムと前記カムフォロワとを互いに遠ざけ、前記第１の本体を前記第２の本体に対しスライドさせている外力が除かれたときに前記カムと前記カムフォロワとを互いに近づける軌跡が可能である。前記カムのカムプロファイルは、カム軸を中心に異なる半径で二つ形成され、前記カムフォロワは、前記二つのカムプロファイルに従動する従節が前記カム軸を挟んで正対する位置に形成されているようにすることができる。
【００２２】
前記ストッパは、前記第１の本体を前記第２の本体に対し１５０°及び１８０°でストップさせるものとすることができる。このようなストッパは、前記第１又は第２の本体のヒンジ部に固定された回転子と、前記ヒンジ接続部内に往復運動可能に設置され、前記回転子との接触により当該回転子の回転を停止させる停止ロッドと、該停止ロッドを前記回転子へ向け付勢するスプリングと、を含む構成とすることができる。前記回転子の外周に、前記停止ロッドと当接する少なくとも１つの突起が形成されているようにすることができる。前記停止ロッドをガイドするガイド部材が前記ヒンジ接続部に形成されているようにすることができる。前記回転子が前記停止ロッドを超えて回転したときに当該回転子の回転を規制する規制凸部が前記ヒンジ接続部に形成されているようにすることができる。前記回転子が前記規制凸部により回転を規制された状態で、前記第１の本体が前記第２の本体に対し３６０°回転した状態にあるようにすることができる。
【００２３】
前記開閉装置は、前記第１の本体を前記第２の本体に対しスライドダウンさせる外力が加えられると、該第１の本体を前記第２の本体に対し回動させる、あるいは、前記第１の本体を前記第２の本体に対しスライドアップさせる外力が加えられると、該第１の本体を前記第２の本体に対し回動させるものとすることができる。
【００２４】
前記第１の本体はディスプレイ等を備えた表示側本体、前記第２の本体はキーパッド等を備えた操作側本体とすることができる。
【００２５】
以上の本発明による移動通信端末機の目的と構成は、添付図面に基づいた本発明の好ましい実施形態についての詳細な説明により明確に理解されるであろう。
【発明の効果】
【００２６】
折り畳み式移動通信端末機における第１本体と第２本体との間をつなぐ本発明に係る開閉装置によれば、いずれか一方の本体を持って他方を若干スライドアップ又はスライドダウンさせるよう操作すると、自動的に当該他方の本体が回動して開状態にすることができる。すなわち、移動通信端末機を自動的に開くための初動操作が従来に比べ格段にやり易くなり、扱いやすい端末機が提供される。
【００２７】
また、本発明の開閉装置によれば、２つのヒンジ部によって、本体どうしを３６０°まで互いに回動させることができ、さらにストッパを設けることによって、多様な角度で姿勢を維持させることができるので、ディスプレイやキーパッドの活用性が向上する。
【発明を実施するための最良の形態】
【００２８】
以下、添付図面を参照して本発明について詳細に説明する。
【００２９】
図１は、本発明の第１実施形態による移動通信端末機について、折り畳んだ閉状態を示す斜視図である。
【００３０】
図１に示すように、折り畳み式の移動通信端末機１００は、互いに回動して開閉可能とされる二つの本体１１０，１２０と、該二つの本体１１０，１２０を回動可能に接続し、本体１１０，１２０の一方を他方に対しスライドさせる（二つの本体を互いに略平行にずらす）外力が加えられると、本体１１０，１２０を互いに回動させて開状態にする開閉装置２００と、を含んで構成されている。二つの本体のうちの第１本体１１０は、キーパッド等を備えた操作側本体で、もう一つの第２本体１２０は、ディスプレイ等を備えた表示側本体である。
【００３１】
第１本体１１０は、メイン回路基板（図示せず）を有する端末機のメインユニットであり、第２本体１２０は、折り畳まれたときに隠れる内側面に大型画面のディスプレイ１２１（図２）を有するディスプレイユニットである。また、第２本体１２０において、折り畳んだとき表に出る外側面には、ビデオ（動画）撮影機能付きのカメラ（のレンズ）１２３が設置される。当該カメラ１２３によって撮像された画像は、ディスプレイ１２１に表示される。
【００３２】
開閉装置２００は、一端が第１ヒンジ部２１１によって第１本体１１０とヒンジ接続し、他端が第２ヒンジ部２１２によって第２本体１２０とヒンジ接続する、ヒンジ接続部２１０を備えている。この開閉装置２００によると、第２本体１２０をスライドダウンさせる（あるいは第１本体１１０をスライドアップさせる）場合、第２本体１２０とヒンジ接続部２１０とのなす角度（内側面どうしの間の角度）が大きくなると同時に、ヒンジ接続部２１０と第１本体１１０とのなす角度（内側面どうしの間の角度）は小さくなる。
【００３３】
ヒンジ接続部２１０は、図１に示すように、第１本体１１０と第２本体１２０とが折り畳まれた状態のときに、第２ヒンジ部２１２の方が第１ヒンジ部２１１よりも上側に位置するように傾斜する仕組みをもつ（初期位置）。これにより、第２本体１２０が第１本体１１０に対しスライドダウン（下方へずらす）させられると、第１ヒンジ部２１１に対する第２ヒンジ部２１２の下方移動に伴ってヒンジ接続部２１０と第２本体１２０とのなす角度は大きくなる。
【００３４】
好ましくは、第１本体１１０の厚さについて、ヒンジ接続部２１０が上記のように動作するとき妨害しないように、上端部分で薄くなるように設計しておくとよい。また、第２本体１２０を第１本体１１０に対して３６０°回転させることができるように、ヒンジ接続部２１０の長さ（ヒンジ部間の間隔）は、第１本体１１０の厚さ及び第２本体１２０の厚さの和より小さくならないように形成する。
【００３５】
第２本体１２０の第１本体１１０に対する回動は、第２本体１２０がヒンジ接続部２１０に対して回動し、さらに、ヒンジ接続部２１０が第１本体１１０に対して回動することによる。開閉装置２００は、このような第１本体１１０及び第２本体１２０とヒンジ接続部２１０との間の回動角度を制御し、第２本体１２０の第１本体１１０に対する開閉角度を決める。
【００３６】
図２は、図１の移動通信端末機１００について、第２本体１２０を回動させて開状態としたときの一例を示す図である。
【００３７】
図２に示すように、第１本体１１０において折り畳み時に隠れる内側面には、情報入力や制御命令の操作を行うためのキーパッド１１１、集音のためのマイク（送話部）１１２などが備えられている。また、第２本体１２０において折り畳み時に隠れる内側面には、ディスプレイ１２１や、該ディスプレイ１２１上方のスピーカ（受話部）１２２などが設置されている。
【００３８】
図２に示す移動通信端末機１００の開状態は、通話時に活用できる状態であり、これは通常（従来）の折り畳み式移動通信端末機と同様の角度状態である。
【００３９】
図３は、図１の移動通信端末機１００の開閉装置２００の部分横断面図である。
【００４０】
図３に示すように、開閉装置２００は、一端が第１ヒンジ部２１１によって第１本体１１０に軸支され、他端が第２ヒンジ部２１２によって第２本体１２０に軸支されるヒンジ接続部２１０と、第２本体１２０が第１本体１１０に対しスライドダウンさせられたときに第２本体１２０を開方向へ付勢する第１付勢ユニット２５０と、第２本体１２０に外力（スライドダウンの）がかかっていないときにヒンジ接続部２１０が初期位置を維持するよう付勢する第２付勢ユニット２７０と、第１本体１１０に対する第２本体１２０の回動角度を複数段階でストップさせるストッパ３００と、を含んで構成される。
【００４１】
図４は、開閉装置２００のＩ−Ｉ線断面図である。
【００４２】
同図に示すように、第１付勢ユニット２５０は、ヒンジ接続部２１０に固定されて内部に収容空間２５２を有するハウジング２５１と、第２本体１２０に固定されるカムフォロワ２５６と、ハウジング２５１の収容空間２５２内で往復運動可能に設置され、第２本体１２０が第１本体１１０に対しスライドダウンすると、第２本体１２０が開方向へ回動するようにカムフォロワ２５６を動作させるカム２５３と、このカム２５３をカムフォロワ２５６へ向け付勢するスプリング２６０と、を備えている。
【００４３】
カム２５３は、カムフォロワ２５６と一体形成されたヒンジ軸２５７に沿って直線的に移動可能（回転は不可）に設置されており、そのヒンジ軸２５７は、ハウジング２５１の後端面に係止リング２６２によって係止させてある。
【００４４】
カム２５３は、カム軸２５７を中心に異なる半径で第１カムプロファイル（カム曲線）２５４と第２カムプロファイル２５５とを有している。これに従動するカムフォロワ２５６は、第１カムプロファイル２５４に従動する第１従節２５８と、第２カムプロファイル２５５に従動する第２従節２５９と、を有する。これら、第１カムプロファイル２５４及び第１従節２５８と第２カムプロファイル２５５及び第２従節２５９との位置関係は、カム軸２５７を挟んで正対する（１８０°間隔）位置に配設してあり、カムフォロワ２５６がカム２５３に追従して動作するときに力が偏重しないようにして信頼性を向上させている。
【００４５】
図６は、第２本体１２０の回動角度に応じた、第１付勢ユニット２５０のカム２５３とカムフォロワ２５６との相対的な位置を示す概念図である。
【００４６】
図６に示すように、カム２５３とカムフォロワ２５６との間隔は、カム２５３の第１及び第２カムプロファイル２５４，２５５とカムフォロワ２５６の第１及び第２従節２５８，２５９の形状に依存し、第２本体１２０の第１本体１１０に対する回動角度に応じたこれらの接触点移動で変化する。カム２５３のカムプロファイル２５４，２５５は、第２本体１２０のスライドダウンでヒンジ接続部２１０と第２本体１２０とが回動する間、カム２５３とカムフォロワ２５６とが一旦互いに遠ざかり且つその後頂点を過ぎて近づく（初期位置とは別の位置）軌跡を描く（カムフォロワ２５６の初期位置１→２→３の経過参照参照）。
【００４７】
このような第１付勢ユニット２５０により、第２本体１２０をスライドダウンさせ、カムフォロワ２５６の従節２５８，２５９がカムプロファイル２５４，２５５の頂点を超えるまで動かすと、後は、スプリング２６０の付勢力によって、第２本体１２０がヒンジ接続部２１０に対して開方向へ回動を続ける（２→３）。従って、第２本体１２０は第１本体１１０に対し自動的に回動して開状態となる。
【００４８】
図５は、図３の開閉装置２００のII−II線断面図である。
【００４９】
図に示すように、第２付勢ユニット２７０は、ヒンジ接続部２１０に固定されて内部に収容空間２７２を有するハウジング２７１と、第１本体１１０に固定されるカムフォロワ２７６と、ハウジング２７１の収容空間２７２内で往復運動可能に設置され、第２本体１２０がスライドダウンしたときに、ヒンジ接続部２１０を初期位置に復帰させる方向へカムフォロワ２７６を回転させるカム２７３と、このカム２７３をカムフォロワ２７６へ向け付勢するスプリング２８０と、を備えている。
【００５０】
カム２７３は、カムフォロワ２７６と一体形成されたヒンジ軸２７７に沿って直線的に移動可能（回転は不可）に設置されており、そのヒンジ軸２７７は、ハウジング２７１の後端面に固定リング２８１によって係止させてある。
【００５１】
カム２７３は、カム軸２７７を中心に異なる半径で第１カムプロファイル２７４と第２カムプロファイル２７５とを有している。これに従動するカムフォロワ２７６は、第１カムプロファイル２７４に従動する第１従節２７８と、第２カムプロファイル２７５に従動する第２従節２７９と、を有する。これら、第１カムプロファイル２７４及び第１従節２７８と第２カムプロファイル２７５及び第２従節２７９との位置関係は、カム軸２７７を挟んで正対する（１８０°間隔）位置に配設してあり、カムフォロワ２７６がカム２７３に追従して動作するときに力が偏重しないようにして信頼性を向上させている。
【００５２】
図７は、第２本体１２０の回動角度に応じた、第２付勢ユニット２７０のカム２７３とカムフォロワ２７６との相対的な位置を示す概念図である。
【００５３】
図７に示すように、カム２７３とカムフォロワ２７６との間隔は、カム２７３の第１及び第２カムプロファイル２７４，２７５とカムフォロワ２７６の第１及び第２従節２７８，２７９の形状に依存し、第２本体１２０のスライドに応じたこれらの接触点移動で変化する。カム２７３のカムプロファイル２７４，２７５は、第２本体１２０のスライドダウンでヒンジ接続部２１０と第１本体１１０とが回動する間、カム２７３とカムフォロワ２７６とが一旦互いに遠ざかり且つその後第２本体１２０に加えられていた力（スライドダウンの力）が除去されると再び近づく（初期位置と同じ位置）軌跡を描く（カムフォロワ２７６の初期位置１’→２’→３’の経過参照）。 
【００５４】
このような第２付勢ユニット２７０により、第２本体１２０をスライドダウンさせ、その後にそのスライドダウンの力を除去すると、カム２７３とカムフォロワ２７６とがスプリング２８０の付勢力によって近づくように動き、ヒンジ接続部２１０は、第１本体１１０に対して初期位置へ復帰するよう回動する。
【００５５】
図８は、図３の開閉装置２００のストッパ３００を示した断面を含むす部分斜視図である。
【００５６】
図８に示すように、ストッパ３００は、第２本体１２０のヒンジ部２１２に固定され、１以上の突起３１１を有する回転子３１０と、ヒンジ接続部２１０内に往復運動可能に設置され、突起３１１に当接して回転子３１０の回転をストップさせる停止ロッド３３０と、該停止ロッド３３０を回転子３１０へ向け付勢するスプリング３４０と、を備えている。
【００５７】
突起３１１は、回転子３１０の外周に１以上形成され（２つ以上設ければ、その個数分の停止点を提供できる）、停止ロッド３３０に当接する停止面３１２を提供する。当該突起３１１が停止ロッド３３０に形成された停止面３３１に当接することで、回転子３１０の回転が一時停止する。この停止点でストップしたときの第２本体１２０の回動角度が第１本体１１０に対し１５０°になるよう設定することで、通話モードに活用できる。
【００５８】
ヒンジ接続部２１０には、停止ロッド３３０の往復（直線）運動をガイドするため、停止ロッド３３０の周囲にガイド部材３２０が形成されている。
【００５９】
好ましくは、回転子３１０及び停止ロッド３３０の各停止面３１２，３３１は、停止ロッド３３０の運動方向に対して両者とも同じ傾斜角度をもつように形成する。これにより、両者の当接で回転子３１０の回転を一時停止させることができ、且つ、そこからさらに力を加えて回転子３１０を回転させようとすると、両停止面３１２，３３１が傾斜していることにより、停止ロッド３３０を付勢に逆らって押し込め後退させることができる。
【００６０】
また、ヒンジ接続部２１０には、回転子３１０が停止面３１２により停止ロッド３３０を押し込んで乗り越えた後の位置で、それ以上の回転子３１０の回転を規制する規制凸部３５０が設けられる。この規制凸部３５０による回転規制が、第２本体１２０を第１本体１１０に対し１８０°の回転角度に維持する位置であった場合、カメラ１３２が被写体と対峙する向きに対し、ディスプレイ１２１及びキーパッド１１１が角度（通話時の１５０°のように）をもたず真っ直ぐに並ぶので、撮影操作しやすいという利点がある。
【００６１】
回転子３１０が規制凸部３５０に当接すると、第２本体１２０はそれ以上、ヒンジ接続部２１０に対して回動できなくなる。この状態からさらに第２本体１２０に力を加えた場合、今度は第２本体１２０に接続されているヒンジ接続部２１０が第１本体１１０に対して回動し、結果的に、第２本体１２０は第１本体１１０に対して３６０°まで回動させることができる。以下、その状態を説明する。
【００６２】
図９Ａ〜図９Ｅは、図１の移動通信端末機１００について、第２本体１２０のスライド〜開〜３６０°回動までの状態を示す図であり、図１０Ａ〜図１０Ｅは、図９Ａ〜図９Ｅの各状態におけるストッパ３００の様子を示す図である。
【００６３】
図９Ａと図１０Ａは、第２本体１２０及び第１本体１１０を折り畳んで閉状態とした初期位置の状態であり、この時の第１付勢ユニット２５０のカム２５３及びカムフォロワ２５６の状態は図６の１番に該当し、第２付勢ユニット２７０のカム２７３及びカムフォロワ２７６の状態は図７の１’番に該当する。
【００６４】
この状態から、第２本体１２０を第１本体１１０に対してスライドダウンさせると（図９Ｂ）、その第２本体１２０のスライドに伴ってヒンジ接続部２１０が第１本体１１０に対し下方へ回動する。この過程において、第１付勢ユニット２５０のカムフォロワ２５６は、図６に示すように、カムプロファイル２５４，２５５の頂点を経て２番に該当する状態となる。また、この過程の間、第２付勢ユニット２７０のカムフォロワ２７６は、図７に示すように、初期位置の１’番からカム２７３との距離が離れる方向に移動して２’番に該当する状態となる。
【００６５】
この後、第１付勢ユニット２５０では、カムフォロワ２５６の従節２５８，２５９がカム２５３のカムプロファイル２５４，２５５の下り傾斜に沿って動作し、図６の３番に該当する状態になる。このカム２５３の付勢による動作に伴い、カムフォロワ２５６に固定されてヒンジ接続部２１０に軸支された第２本体１２０が回動を続け、１５０°等の通話用開状態まで回動する。また、第２本体１２０に加えられていたスライドの力が除去されると、第２付勢ユニット２７０では、図７に示すように、スプリング２８０の付勢によって、カムプロファイル２７４，２７５に沿いカムフォロワ２７６が初期位置の方へ戻り、初期位置と同じ３’番の状態になる。従って、ヒンジ接続部２１０は第１本体１１０に対して初期位置角度に復帰する（図９Ｃ）。
【００６６】
すなわち、第２付勢ユニット２７０は、第２本体１２０がスライドダウン後に回動して開く間、そのスライドダウンに伴って第１本体１１０に対し回動したヒンジ接続部２１０を、初期位置へ復帰させる役割をもつ。従って、第２付勢ユニット２７０を設置しても、第２本体１２０を回転させて開く第１付勢ユニット２５０のメカニズムが制限されるわけではなく、第２付勢ユニット２７０がなくても、第１付勢ユニット２５０の作動は可能である。
【００６７】
ここまでの過程の間、ストッパ３００においては、図１０Ａ〜図１０Ｃに示すように、第２本体１２０の回動に伴って回転子３１０の停止面３１２が停止ロッド３３０の停止面３３１に至って当接し、これにより、第２本体１２０の回動が一時停止して通話用開角度が保持される。前述したように、好適な通話用開角度は約１５０°であり、回転子３１０及び停止ロッド３３０の位置関係及び形状は、これに適合するように設定される。
【００６８】
図９Ｃの状態からさらに第２本体１２０を回動させる力を加えると、図９Ｄに示すように、第２本体１２０はそこからさらに回動することができ、第１本体１１０に対して約１８０°で並ぶ略一直線状になる。この場合、第１付勢ユニット２５０のカムフォロワ２５６は、図６に示す４番に該当する状態となり、位置が保持される。また、図１０Ｄに示すように、回転子３１０の突起３１１は、停止ロッド３３０を押し込んで乗り越え、規制凸部３５０に至ってそれ以上の回転が規制される。このときの第２付勢ユニット２７０のカムフォロワ２７６は、図７に示すように、カム２７３に対する相対的な位置が変化しないで、４’番に該当する状態にある。
【００６９】
図９Ｄの状態からさらに第２本体１２０を回動させる力を加えると、第２本体１２０はストッパ３００によって回動が規制されているので、ヒンジ接続部２１０が第１本体１１０に対して回動し、図９Ｅの状態になる。すなわち、第１付勢ユニット２５０のカムフォロワ２５６は、それ以上移動しない５番の状態（図６）にある一方、第２付勢ユニット２７０のカムフォロワ２７６は、５’番（図７）に該当する状態へ、カムプロファイル２７４，２７５に沿って動作する。
【００７０】
これにより、第２本体１２０は、第１本体１１０の背面まで３６０°回動してディスプレイ１２１が外側を向いた状態となり、当該ディスプレイ１２１を利用して、ネット配信のビデオやワンセグ、ＤＭＢなどの放送を鑑賞しやすい形態となる。また、カメラがキーパッド１１１と同じ面に搭載してあれば、一般的なデジタルカメラと同じように背面ファインダとしてディスプレイ１２１を利用することができ、非常に使いやすい。
【００７１】
図１１は、本発明の第２実施形態による折り畳み式移動通信端末機を示した閉状態での斜視図である。
【００７２】
図１１に示すように、移動通信端末機４００は、第１本体４１０と、第１本体４１０に対して回動可能に接続される第２本体４２０と、これら第１本体４１０及び第２本体４２０を回動可能に接続し、第２本体４２０をスライドアップさせる（第１本体４１０に対し略平行に上方へずらす）外力が加わると該第２本体４２０を第１本体４１０に対し回動させて開状態にする開閉装置５００と、を含んで構成される。
【００７３】
図１２は、図１１の開閉装置５００の部分横断面図である。図１２に示すように、開閉装置５００は、第１付勢ユニット５５０と、第２付勢ユニット５７０と、ストッパ６００と、を備えており、これらは図３に示す開閉装置２００とその配置及び機能の点で反対になっている。従って、第１付勢ユニット５５０、第２付勢ユニット５７０、ストッパ６００の構成や作用についての詳細な説明は省略する。
【００７４】
図１３Ａ〜図１３Ｅは、図１１の移動通信端末機４００について、第２本体４２０のスライドから３６０°回動までの状態を示す図であり、図１４Ａ〜図１４Ｅは、図１３Ａ〜１３Ｅの各状態におけるストッパの様子を示す図である。
【００７５】
図１３Ａと図１４Ａは、第２本体４２０及び第１本体４１０を折り畳んで閉状態とした初期位置の状態であり、第２ヒンジ部５１２が第１ヒンジ部５１１に比べて低い方に位置するように、ヒンジ接続部５１０が傾斜している。
【００７６】
この状態で第２本体４２０を第１本体４１０に対してスライドアップさせると、この第２本体４２０のスライドアップに伴ってヒンジ接続部５１０が第１本体４１０に対し上方へ回動する（図１３Ｂ）。
【００７７】
すると、第２付勢ユニット５７０がヒンジ接続部５１０を開状態へ回動させ続ける一方、第２本体４２０に加えられたスライドの力が除去されることで、第１付勢ユニット５５０が、第２本体４２０をヒンジ接続部５１０に対し初期位置の回動角度へ復帰させる。すなわち、第１付勢ユニット５５０は、ヒンジ接続部５１０の回動で第２本体４２０が第１本体４１０から開く間、ヒンジ接続部５１０に対して曲げられた第２本体４２０を再び元の角度へ開く役割をもつ。一方の第２付勢ユニット５７０は、第１実施形態で説明した第１付勢ユニット２５０と同様の役割を担い、第２本体４２０を伴ったヒンジ接続部５１０を第１本体４１０に対して回動させる。
【００７８】
ここまでの過程の間、ストッパ６００においては、図１４Ａ〜図１４Ｃに示すように、ヒンジ接続部５１０の回動で回転子６１０の停止面６１２が停止ロッド６３０の停止面６３１に至って当接することにより、第２本体４２０の回動が一時停止し、通話用開角度が維持される。
【００７９】
図１３Ｃの状態から第２本体４２０をさらに回転させる外力を加えると、図１３Ｄに示すようにヒンジ接続部５１０は回動し、第２本体４２０が第１本体４１０に対して約１８０°で並んだ形態になる。また、図１４Ｄに示すように、回転子６１０の突起６１１は、停止ロッド６３０を押し込んで乗り越え、規制凸部６５０に当接してそれ以上の回転が規制される。
【００８０】
図１３Ｄの状態から第２本体４２０をさらに回転させる外力を加えると、ヒンジ接続部５１０はストッパ６００によって回転が規制されているので、第２本体４２０だけがヒンジ接続部５１０に対し回動して図１３Ｅの状態になる。
【００８１】
以上のように、移動通信端末機を例示した図を参照に本発明を説明したが、本明細書に開示された実施形態及び図面によって本発明が限定されるものではなく、本発明の技術思想の範囲内で当業者によって多様な変形が可能である。
【図面の簡単な説明】
【００８２】
【図１】本発明の第１実施形態による移動通信端末機を折り畳んだ状態で示す斜視図。
【図２】図１の移動通信端末機を通話用の開状態にした状態を示す斜視図。
【図３】図１の移動通信端末機の開閉装置を説明する要部断面図。
【図４】図３のI‐I線断面図。
【図５】図３のII−II線断面図。
【図６】第１付勢ユニットのカムプロファイルを説明した図。
【図７】第２付勢ユニットのカムプロファイルを説明した図。
【図８】図３の開閉装置におけるストッパ部分を示す一部断面を含む斜視図。
【図９Ａ】図１の移動通信端末機について閉状態を示した図。
【図９Ｂ】図１の移動通信端末機についてスライドダウンさせた状態を示した図。
【図９Ｃ】図１の移動通信端末機について通話用の開状態を示した図。
【図９Ｄ】図１の移動通信端末機について１８０°開状態を示した図。
【図９Ｅ】図１の移動通信端末機について３６０°開状態を示した図。
【図１０Ａ】図９Ａの状態におけるストッパの状態を説明した図。
【図１０Ｂ】図９Ｂの状態におけるストッパの状態を説明した図。
【図１０Ｃ】図９Ｃの状態におけるストッパの状態を説明した図。
【図１０Ｄ】図９Ｄの状態におけるストッパの状態を説明した図。
【図１０Ｅ】図９Ｅの状態におけるストッパの状態を説明した図。
【図１１】本発明の第２実施形態による移動通信端末機を折り畳んだ状態で示す斜視図。
【図１２】図１１の移動通信端末機の開閉装置を説明する要部断面図。
【図１３Ａ】図１１の移動通信端末機について閉状態を示した図。
【図１３Ｂ】図１１の移動通信端末機についてスライドアップさせた状態を示した図。
【図１３Ｃ】図１１の移動通信端末機について通話用の開状態を示した図。
【図１３Ｄ】図１１の移動通信端末機について１８０°開状態を示した図。
【図１３Ｅ】図１１の移動通信端末機について３６０°開状態を示した図。
【図１４Ａ】図１３Ａの状態におけるストッパの状態を説明した図。
【図１４Ｂ】図１３Ｂの状態におけるストッパの状態を説明した図。
【図１４Ｃ】図１３Ｃの状態におけるストッパの状態を説明した図。
【図１４Ｄ】図１３Ｄの状態におけるストッパの状態を説明した図。
【図１４Ｅ】図１３Ｅの状態におけるストッパの状態を説明した図。
【図１５】従来の移動通信端末機を折り畳み状態で示す斜視図。
【図１６】図１５の移動通信端末機を開状態で示す斜視図。
【符号の説明】
【００８３】
１００：移動通信端末機
１１０：第１本体
１２０：第２本体
１２１：ディスプレイ
１２３：カメラ
２００：開閉装置
２１０：ヒンジ接続部
２１１：第１ヒンジ部
２１２：第２ヒンジ部
２５０：第１付勢ユニット
２５１：ハウジング
２５３：カム
２５４：第１カムプロファイル
２５５：第２カムプロファイル
２５６：カムフォロワ
２５７：カム軸
２６０：スプリング
３００：ストッパ
３１０：回転子
３１１：突起
３１２：停止面
３２０：ガイド部材
３３０：停止ロッド
３４０：スプリング
３５０：規制止凸部
【図１】
0004405490.tif 000002
【図２】
0004405490.tif 000003
【図３】
0004405490.tif 000004
【図４】
0004405490.tif 000005
【図５】
0004405490.tif 000006
【図６】
0004405490.tif 000007
【図７】
0004405490.tif 000008
【図８】
0004405490.tif 000009
【図９Ａ】
0004405490.tif 000010
【図９Ｂ】
0004405490.tif 000011
【図９Ｃ】
0004405490.tif 000012
【図９Ｄ】
0004405490.tif 000013
【図９Ｅ】
0004405490.tif 000014
【図１０Ａ】
0004405490.tif 000015
【図１０Ｂ】
0004405490.tif 000016
【図１０Ｃ】
0004405490.tif 000017
【図１０Ｄ】
0004405490.tif 000018
【図１０Ｅ】
0004405490.tif 000019
【図１１】
0004405490.tif 000020
【図１２】
0004405490.tif 000021
【図１３Ａ】
0004405490.tif 000022
【図１３Ｂ】
0004405490.tif 000023
【図１３Ｃ】
0004405490.tif 000024
【図１３Ｄ】
0004405490.tif 000025
【図１３Ｅ】
0004405490.tif 000026
【図１４Ａ】
0004405490.tif 000027
【図１４Ｂ】
0004405490.tif 000028
【図１４Ｃ】
0004405490.tif 000029
【図１４Ｄ】
0004405490.tif 000030
【図１４Ｅ】
0004405490.tif 000031
【図１５】
0004405490.tif 000032
【図１６】
0004405490.tif 000033